(57)【特許請求の範囲】
【請求項１】
入力された入力画像の入力値のプリンタγ補正を行うための画像処理支援方法であって、
画像形成部により、用紙種類ごとに、前記入力値に基づき濃度補正用チャートを用紙に形成する工程と、
カラーセンサにより、前記用紙に形成された用紙種類ごとの濃度補正用チャートを測色して、測色結果である電圧値の情報を入力する工程と、
記憶媒体により、前記入力された電圧値を記憶する工程と、
色空間座標値測色機により、前記用紙に形成された用紙種類ごとの濃度補正用チャートを測色して、測色結果であるＸＹＺ三刺激値の情報を入力する工程と、
制御部により、用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する工程と、
を含む画像処理支援方法。
【請求項２】
前記記憶媒体により、少なくとも用紙種類を管理するトレイ用紙プロファイル又は用紙プロファイルを記憶する工程と、
前記制御部により、前記色空間座標値変換情報の生成に用いた用紙種類と同一の用紙種類を管理するトレイ用紙プロファイル又は用紙プロファイルと前記色空間座標値変換情報とを関連付ける工程と、
を含む請求項１に記載の画像処理支援方法。
【請求項３】
前記制御部により、前記色空間座標値変換情報が関連付けられたトレイ用紙プロファイルを前記色空間座標値変換情報が関連付けられた用紙プロファイルに関連付ける工程と、
を含む請求項２に記載の画像処理支援方法。
【請求項４】
前記制御部により、前記記憶媒体に記憶されている色空間座標値変換情報を変更又は削除した場合、当該変更又は削除された色空間座標値変換情報と前記トレイ用紙プロファイル又は前記用紙プロファイルとの関連付けを解除する工程と、
を含む請求項２又は３の何れか一項に記載の画像処理支援方法。
【請求項５】
前記制御部により、前記記憶媒体に記憶されている色空間座標値変換情報を変更した場合、かつ、変更の前後で色空間座標値変換情報の生成に用いた用紙種類が異なる場合、当該変更された色空間座標値変換情報と前記トレイ用紙プロファイル又は前記用紙プロファイルとの関連付けを解除する工程と、
を含む請求項２〜４の何れか一項に記載の画像処理支援方法。
【請求項６】
前記制御部により、前記トレイ用紙プロファイル又は用紙プロファイルにより管理される用紙種類を変更した場合、当該変更されたトレイ用紙プロファイル又は用紙プロファイルと前記色空間座標値変換情報との関連付けを解除する工程と、
を含む請求項２〜５の何れか一項に記載の画像処理支援方法。
【請求項７】
入力された入力画像の入力値のプリンタγ補正を行う画像処理支援システムにおいて、
用紙種類ごとに、前記入力値に基づき濃度補正用チャートを用紙に形成する画像形成部と、
前記用紙に形成された用紙種類ごとの濃度補正用チャートを測色して、測色結果である電圧値の情報を入力するカラーセンサと、
前記入力された電圧値を記憶する記憶媒体と、
前記用紙に形成された用紙種類ごとの濃度補正用チャートを測色して、測色結果である前記ＸＹＺ三刺激値の情報を入力する色空間座標値測色機と、
用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する制御部と、
を含む画像処理支援システム。
【請求項８】
前記記憶媒体は、少なくとも用紙種類を管理するトレイ用紙プロファイル又は用紙プロファイルを記憶し、
前記制御部は、前記色空間座標値変換情報の生成に用いた用紙種類と同一の用紙種類を管理するトレイ用紙プロファイル又は用紙プロファイルと前記色空間座標値変換情報とを関連付ける請求項７に記載の画像処理支援システム。
【請求項９】
前記制御部は、前記色空間座標値変換情報が関連付けられたトレイ用紙プロファイルを前記色空間座標値変換情報が関連付けられた用紙プロファイルに関連付ける請求項８に記載の画像処理支援システム。
【請求項１０】
前記制御部は、前記記憶媒体に記憶されている色空間座標値変換情報を変更又は削除した場合、当該変更又は削除された色空間座標値変換情報と前記トレイ用紙プロファイル又は前記用紙プロファイルとの関連付けを解除する請求項８又は９の何れか一項に記載の画像処理支援システム。
【請求項１１】
前記制御部は、前記記憶媒体に記憶されている色空間座標値変換情報を変更した場合、かつ、変更の前後で色空間座標値変換情報の生成に用いた用紙種類が異なる場合、当該変更された色空間座標値変換情報と前記トレイ用紙プロファイル又は前記用紙プロファイルとの関連付けを解除する請求項８〜１０の何れか一項に記載の画像処理支援システム。
【請求項１２】
前記制御部は、前記トレイ用紙プロファイル又は用紙プロファイルにより管理される用紙種類を変更した場合、当該変更されたトレイ用紙プロファイル又は用紙プロファイルと前記色空間座標値変換情報との関連付けを解除する請求項８〜１１の何れか一項に記載の画像処理支援システム。
【請求項１３】
入力された入力画像の入力値のプリンタγ補正を行う画像形成装置において、
用紙種類ごとに、前記入力値に基づき濃度補正用チャートを用紙に形成する画像形成部と、
前記用紙に形成された用紙種類ごとの濃度補正用チャートを測色して、測色結果である電圧値の情報を入力するカラーセンサと、
前記入力された電圧値を記憶する記憶媒体と、
前記用紙に形成された用紙種類ごとの濃度補正用チャートを測色して、測色結果である前記ＸＹＺ三刺激値の情報を入力する入力部と、
用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する制御部と、
を備えた画像形成装置。
【請求項１４】
前記記憶媒体は、少なくとも用紙種類を管理するトレイ用紙プロファイル又は用紙プロファイルを記憶し、
前記制御部は、前記色空間座標値変換情報の生成に用いた用紙種類と同一の用紙種類を管理するトレイ用紙プロファイル又は用紙プロファイルと前記色空間座標値変換情報とを関連付ける請求項１３に記載の画像形成装置。
【請求項１５】
前記制御部は、前記色空間座標値変換情報が関連付けられたトレイ用紙プロファイルを前記色空間座標値変換情報が関連付けられた用紙プロファイルに関連付ける請求項１４に記載の画像形成装置。
【請求項１６】
前記制御部は、前記記憶媒体に記憶されている色空間座標値変換情報を変更又は削除した場合、当該変更又は削除された色空間座標値変換情報と前記トレイ用紙プロファイル又は前記用紙プロファイルとの関連付けを解除する請求項１４又は１５の何れか一項に記載の画像形成装置。
【請求項１７】
前記制御部は、前記記憶媒体に記憶されている色空間座標値変換情報を変更した場合、かつ、変更の前後で色空間座標値変換情報の生成に用いた用紙種類が異なる場合、当該変更された色空間座標値変換情報と前記トレイ用紙プロファイル又は前記用紙プロファイルとの関連付けを解除する請求項１４〜１６の何れか一項に記載の画像形成装置。
【請求項１８】
前記制御部は、前記トレイ用紙プロファイル又は用紙プロファイルにより管理される用紙種類を変更した場合、当該変更されたトレイ用紙プロファイル又は用紙プロファイルと前記色空間座標値変換情報との関連付けを解除する請求項１４〜１６の何れか一項に記載の画像形成装置。
【発明の詳細な説明】
【技術分野】
【０００１】
本発明は、画像処理支援方法、画像処理支援システム及び画像形成装置に関する。
【背景技術】
【０００２】
画像形成装置における画像処理では、濃度補正が行われる。濃度補正には、例えばプリンタγ補正がある。
【０００３】
「プリンタγ補正」とは、画像形成装置に入力された入力画像の濃度や輝度などの（入力値）と、入力画像に基づいて実際に用紙に画像形成された画像の濃度（出力値）との相対関係を調整することをいう。プリンタγ補正が行われることにより、入力画像に忠実な色の画像を用紙に形成することができる。なお、濃度補正にはプリンタγ補正の他、スクリーン処理等も影響要因として挙げられる。
【０００４】
従来のプリンタγ補正では、画像形成装置に予め設置されているＩＤＣ（Image Density Control）センサにより濃度情報が検出され、検出された濃度情報に基づいて、入力画像の濃度が調整される。調整された入力画像に基づいて実際に用紙に形成された画像は、はじめに入力された入力画像に近い再現性が確保されることになる。
【０００５】
図４１に、一般的な画像形成装置の概略構成を示す。
画像形成装置１０１は、中間転写ベルト１０２、ＩＤＣセンサ１０３、ＹＭＣＫ各色の感光体ドラム１０４〜１０７、制御部１０８等を備えて構成される。ＩＤＣセンサ１０３は、ＹＭＣＫ各色の感光体ドラム１０４〜１０７よりも中間転写ベルト１０２の回転方向下流側に設置される。
【０００６】
ＹＭＣＫ各色の感光体ドラム１０４〜１０７は、例えばＹＭＣＫ各色のγ補正用パッチを中間転写ベルト１０２上に形成する。
【０００７】
ＩＤＣセンサ１０３は、感光体ドラム１０４〜１０７により形成されたＹＭＣＫ各色のγ補正用パッチの濃度情報を読み取る。なお、ここで読み取られる濃度情報とは、実際には電圧値である。
【０００８】
制御部１０８は、読み取られたγ補正用パッチの濃度情報に基づいて、入力画像の濃度を調整する。ここで行われる調整がプリンタγ補正である。制御部１０８は、調整された入力画像に基づいて、実際に用紙に画像を形成する。
【０００９】
ここで、画像形成装置１０１において、ＩＤＣセンサ１０３は中間転写ベルト１０２付近に設置され、中間転写ベルト１０２上に形成されたγ補正用パッチの濃度情報を読み取る。換言すれば、ＩＤＣセンサ１０３は、実際に用紙に形成された状態のγ補正用パッチの濃度情報を読み取っているわけではない。よって、ＩＤＣセンサ１０３により読み取られた濃度情報に基づいて入力画像の濃度が調整された場合でも、用紙に形成される画像に再現性が無い場合がある。
【００１０】
特許文献１によれば、ＩＤＣセンサではなく、スキャナを用いてプリンタγ補正を行う技術が開示されている。具体的には、γ補正用パッチを用紙に形成し、γ補正用パッチが形成された用紙をスキャナで読み取る。始めのγ補正用パッチとスキャナで読み取られたγ補正用パッチとのデータを比較して相違を打ち消す濃度データを求める。これを濃度補正に用いることにより、プリンタγ補正を行う技術が開示されている。
【先行技術文献】
【特許文献】
【００１１】
【特許文献１】特開２００５−３０３７０１号公報
【発明の概要】
【発明が解決しようとする課題】
【００１２】
しかし、特許文献１の技術では、画像形成に用いる用紙を変更する度に、相違を打ち消す濃度データを個別に求める必要がある。つまり、一度濃度データを求めた後に、別の用紙で画像形成するような場合、再度濃度データを求める必要がある。そのため、ユーザの操作が煩雑になり、生産性が低下する問題も生じる。
【００１３】
本発明の課題は、簡易な操作によって、実際に使用する用紙の種類ごとに最適なプリンタγ補正をかけ得る画像処理支援方法、画像処理支援システム及び画像形成装置を提供することである。
【課題を解決するための手段】
【００１４】
本発明によれば、入力された入力画像の入力値のプリンタγ補正を行うための画像処理支援方法であって、
画像形成部により、用紙種類ごとに、前記入力値に基づき濃度補正用チャートを用紙に形成する工程と、
カラーセンサにより、前記用紙に形成された用紙種類ごとの濃度補正用チャートを測色して、測色結果である電圧値の情報を入力する工程と、
記憶媒体により、前記入力された電圧値を記憶する工程と、
色空間座標値測色機により、前記用紙に形成された用紙種類ごとの濃度補正用チャートを測色して、測色結果であるＸＹＺ三刺激値の情報を入力する工程と、
制御部により、用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する工程と、
を含む画像処理支援方法が提供される。
【００１５】
また、本発明によれば、入力された入力画像の入力値のプリンタγ補正を行う画像処理支援システムにおいて、
用紙種類ごとに、前記入力値に基づき濃度補正用チャートを用紙に形成する画像形成部と、
前記用紙に形成された用紙種類ごとの濃度補正用チャートを測色して、測色結果である電圧値の情報を入力するカラーセンサと、
前記入力された電圧値を記憶する記憶媒体と、
前記用紙に形成された用紙種類ごとの濃度補正用チャートを測色して、測色結果である前記ＸＹＺ三刺激値の情報を入力する色空間座標値測色機と、
用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する制御部と、
を含む画像処理支援システムが提供される。
【００１６】
また、本発明によれば、入力された入力画像の入力値のプリンタγ補正を行う画像形成装置において、
用紙種類ごとに、前記入力値に基づき濃度補正用チャートを用紙に形成する画像形成部と、
前記用紙に形成された用紙種類ごとの濃度補正用チャートを測色して、測色結果である電圧値の情報を入力するカラーセンサと、
前記入力された電圧値を記憶する記憶媒体と、
前記用紙に形成された用紙種類ごとの濃度補正用チャートを測色して、測色結果である前記ＸＹＺ三刺激値の情報を入力する入力部と、
用紙種類ごとに、前記電圧値の情報及び前記ＸＹＺ三刺激値の情報に基づいて、前記プリンタγ補正を行うための色空間座標値変換情報を生成し、生成された用紙種類ごとの色空間座標値変換情報を前記記憶媒体に記憶する制御部と、
を備えた画像形成装置が提供される。
【発明の効果】
【００１７】
本発明によれば、簡易な操作によって、実際に使用する用紙の種類ごとに色空間座標値変換情報を記憶媒体に記憶しておくことができる。よって、用紙種類ごとに最適なプリンタγ補正をかけることができる。
【図面の簡単な説明】
【００１８】
【図１】画像形成装置の概略構成図である。
【図２】カラーセンサの概略構成図である。
【図３】画像処理支援システムの概略構成図である。
【図４】画像形成装置の機能ブロック図である。
【図５】γ補正用チャートのサイズ仕様である。
【図６】γ補正用チャートの一例である。
【図７】ＸＹＺ三刺激値変換カーブの登録画面である。
【図８】用紙カテゴリの構造を示す図である。
【図９】個別設定変更画面である。
【図１０】トレイ用紙プロファイルの構造を示す図である。
【図１１】用紙条件登録画面である。
【図１２】用紙プロファイルの構造を示す図である。
【図１３】用紙カテゴリ、トレイ用紙プロファイル、用紙プロファイルの相互関係を示す図である。
【図１４】ＸＹＺ三刺激値変換カーブの登録処理を示すフロー図である。
【図１５】起動時画面である。
【図１６】調整メニューの設定画面である。
【図１７】出力紙濃度調整の設定画面である。
【図１８】用紙カテゴリのリスト選択画面である。
【図１９】用紙カテゴリの名称入力画面である。
【図２０】プリントスタンバイ画面である。
【図２１】プリント中画面である。
【図２２】用紙カテゴリのリスト選択画面である。
【図２３】接続要求画面である。
【図２４】測色結果のファイル選択画面である。
【図２５】用紙カテゴリのリスト選択画面である。
【図２６】ＸＹＺ三刺激値変換カーブの登録が出来なかった場合の画面である。
【図２７】リンク解除処理を示すフロー図である。
【図２８】用紙プロファイルのリンク設定処理を示すフロー図である。
【図２９】起動時画面である。
【図３０】用紙設定画面である。
【図３１】個別設定変更画面である。
【図３２】用紙カテゴリ選択画面である。
【図３３】個別設定変更画面である。
【図３４】用紙プロファイルの登録処理を示すフロー図である。
【図３５】設定メニュー画面である。
【図３６】給紙トレイ設定画面である。
【図３７】用紙プロファイル登録画面である。
【図３８】用紙条件登録画面である。
【図３９】用紙カテゴリ選択画面である。
【図４０】用紙条件登録画面である。
【図４１】一般的な画像形成装置の概略構成図である。
【発明を実施するための形態】
【００１９】
本実施形態における画像形成装置の構成及び動作について、図面を用いて詳細に説明する。なお、本実施形態ではカラーの画像形成装置を例に挙げて説明するが、本発明はこれに限らず、例えばモノクロの画像形成装置によっても本発明を実現することは可能である。
【００２０】
図１に、画像形成装置１０の概略構成を示す。
画像形成装置１０は、画像形成部１１及びリレーユニット（以下、「ＲＵ」）２１を備えて構成される。
【００２１】
画像形成部１１は、電子写真方式のデジタル印刷機であって、制御部１、表示部２、給紙部１２、ＹＭＣＫ各色の感光体ドラム１３〜１６、中間転写ベルト１７、転写ローラ１８、定着装置１９等を備えて構成される。なお、この他にも自動原稿搬送部やスキャナ部等を備えて構成されるが、ここでの説明は省略する。また、一般的構成と同様、ＩＤＣセンサ１０３を中間転写ベルト１７の回転方向下流側に設置してもよい（図４１参照）。
【００２２】
制御部１は、ＣＰＵ、ＲＡＭ、ＲＯＭ等を備えて構成される。制御部１は、ＲＯＭ又は不揮発メモリ１ｂ（図４参照）に記憶されている各種プログラムをＲＡＭに展開し、展開された各種プログラムとの協働により、画像形成装置１０の各部の動作を集中制御する。
【００２３】
表示部２は、ＬＣＤ（Liquid Crystal Display）及びタッチパネル等を備えて構成され、各種設定画面を表示する。また、表示部２は、ユーザにより各種ボタンが押下された場合には押下信号を生成し、生成された押下信号を制御部１に出力する。
【００２４】
給紙部１２は、複数のトレイを備えて構成され、用紙種類ごとに用紙を格納し、格納されている用紙を所定の搬送路により搬送して用紙を給紙する。
【００２５】
ＹＭＣＫ各色の感光体ドラム１３〜１６は、感光体ドラム上にＹＭＣＫ各色のトナー像をそれぞれ形成して担持し、これを中間転写ベルト１７上に転写する（一次転写）。
【００２６】
中間転写ベルト１７は、転写されて形成されたトナー像を担持しながら回転する。
転写ローラ１８は、中間転写ベルト１７上に担持されているＹＭＣＫ各色のトナー像を用紙に転写する（二次転写）。
【００２７】
定着装置１９は、用紙に転写されて形成されたＹＭＣＫ各色のトナー像を加熱又は加圧し、トナー像を用紙に定着させる。トナー像が定着された用紙は、その後、ＲＵ２１に搬送される。
【００２８】
ＲＵ２１は、カラーセンサ２２を備えて構成される。また、ＲＵ２１は、カラーセンサ２２の他にも、画像形成部１１から搬送されてくる用紙の搬送スピードと同期をとる機能を備える。更に、ＲＵ２１はパンチ処理、折り処理、糊塗布処理、断裁処理等の各処理を行い得る機能、いわゆるフィニッシャー機能を備えるとしてもよい。
【００２９】
図２に、カラーセンサ２２の概略構成及び条件を示す。
カラーセンサ２２は、ＬＥＤ光源２２１、受光素子２２２、レンズ２２３、レンズホルダ２２４等を備えて構成される反射型センサである。
カラーセンサ２２は、用紙に定着して形成されたチャート（本実施形態ではγ補正用チャート（図６参照））を測色して、測色により算出された電圧値を制御部１に出力する。
【００３０】
図３に、画像処理支援システム１０Ａの概略構成を示す。
画像処理支援システム１０Ａは、画像形成部１１及びＲＵ２１を備える画像形成装置１０、ＸＹＺ三刺激値測色機３１、外部ＰＣ４１、ＵＳＢメモリ５１を備えて構成される。
【００３１】
画像形成装置１０は、最適なプリンタγ補正をかけたい用紙を用いて、この用紙にγ補正用チャートを画像形成する。このとき、ＲＵ２１はカラーセンサ２２によりγ補正用チャートを読み取り、読み取られた電圧値の情報を制御部１に出力する。
【００３２】
ＸＹＺ三刺激値測色機３１は、分光光度計等を備えて構成され、外部ＰＣ４１とはＵＳＢ接続されている。ＸＹＺ三刺激値測色機３１は、用紙に形成されたγ補正用チャートを読み取り、読み取られたγ補正用チャートをＸＹＺ三刺激値に変換する。また、ＸＹＺ三刺激値測色機３１は、変換されたＸＹＺ三刺激値の情報を外部ＰＣ４１に出力する。なお、本実施形態では、ＸＹＺ表色系を採用し、ＸＹＺ三刺激値測色機３１によりＸＹＺ三刺激値を取得するようにしているが必ずしもこれに限られない。他の表色系を採用し、色空間座標値測色機により他の色空間座標値を取得するようにしてもよい。
【００３３】
外部ＰＣ４１は、出力されたＸＹＺ三刺激値の情報を入力し、入力されたＸＹＺ三刺激値の情報をＵＳＢメモリ５１に記憶する。
【００３４】
ＵＳＢメモリ５１は、外部ＰＣ４１から抜き取られて画像形成装置１０に接続され、画像形成装置１０にＸＹＺ三刺激値の情報を出力する。なお、ＸＹＺ三刺激値測色機３１、外部ＰＣ４１及び画像形成装置１０は、ＬＡＮケーブル等によりデータ通信可能に常時接続されるとしてもよい。
【００３５】
画像形成装置１０は、ＵＳＢメモリ５１から出力されたＸＹＺ三刺激値の情報を入力し、カラーセンサ２２により読み取られた電圧値、入力されたＸＹＺ三刺激値の情報及び予め定められたアルゴリズムに基づいて、電圧濃度変換テーブル（以下、ＸＹＺ三刺激値変換カーブ）を作成する。画像形成装置１０は、作成されたＸＹＺ三刺激値変換カーブを不揮発メモリ１ｂ（図４参照）に記憶する。
【００３６】
図４に、画像形成装置１０の機能ブロック図を示す。
画像形成装置１０は、画像形成部１１及びＲＵ２１を備えて構成される。また、画像形成部１１と外部ＰＣ４１とは、ＬＡＮにより通信可能に接続される。
【００３７】
画像形成部１１は、制御部１、表示部２、スキャナ部３、プリンタ部４、プリンタコントローラ５等を備えて構成される。
【００３８】
制御部１は、画像制御ＣＰＵ１ａ、不揮発メモリ１ｂ、読み取り処理部１ｃ、圧縮ＩＣ１ｄ、ＤＲＡＭ制御ＩＣ１ｅ、画像メモリ１ｆ、伸張ＩＣ１ｇ、書き込み処理部１ｈ等を備えて構成される。
【００３９】
画像制御ＣＰＵ１ａは、ＣＰＵ、ＲＡＭ、ＲＯＭ等から構成され、ＲＯＭ又は不揮発メモリ１ｂに記憶されている各種プログラムを読み出してＲＡＭに展開し、展開された各種プログラムとの協働により各種処理を実行する。
【００４０】
不揮発メモリ１ｂは、書き換え可能な不揮発性のメモリを備えて構成され、各種プログラムや各種データを記憶する。
【００４１】
読み取り処理部１ｃは、ＣＣＤ３ａから出力されるアナログ画像信号を入力し、入力されたアナログ画像信号にアナログ処理、シェーディング処理、Ａ／Ｄ変換処理等を行いデジタル画像データを生成する。読み取り処理部１ｃは、生成された画像データを圧縮ＩＣ１ｄに出力する。
【００４２】
圧縮ＩＣ１ｄは、読み取り処理部１ｃから出力される画像データを入力し、入力された画像データに圧縮処理を行った後、画像データをＤＲＡＭ制御ＩＣ１ｅに出力する。
【００４３】
ＤＲＡＭ制御ＩＣ１ｅは、読み取り処理部１ｃにより読み取られた画像データを圧縮ＩＣ１ｄにより圧縮し、圧縮画像データを圧縮メモリ１１ｆにより記憶する。
また、ＤＲＡＭ制御ＩＣ１ｅは、圧縮メモリ１１ｆから圧縮画像データを入力して伸張ＩＣ１ｇにより伸張し、伸張された非圧縮画像データをページメモリ１２ｆにより記憶する。更に、ＤＲＡＭ制御ＩＣ１ｅは、ページメモリ１２ｆに記憶されている非圧縮画像データを入力し、入力された非圧縮画像データを書き込み処理部１ｈに出力する。
【００４４】
画像メモリ１ｆは、ＤＲＡＭにより構成され、圧縮メモリ１１ｆ及びページメモリ１２ｆを備える。圧縮メモリ１１ｆは、圧縮画像データを記憶する。また、ページメモリ１２ｆは、画像形成前に画像形成対象の非圧縮画像データを一時的に記憶する。
【００４５】
伸張ＩＣ１ｇは、入力される圧縮画像データに伸張処理を行う。
【００４６】
書き込み処理部１ｈは、ＤＲＡＭ制御ＩＣ１ｅから入力された画像形成対象の画像データに基づいて、画像形成のための印刷用データを生成し、プリンタ部４に出力する。
【００４７】
表示部２は、ＬＣＤ２ａ及び表示制御部２ｂ等を備えて構成される。
ＬＣＤ２ａは、ＬＣＤ２ａを覆うタッチパネルを備える。表示制御部２ｂは、画像制御ＣＰＵ１ａから出力される表示信号を入力し、入力される表示信号に基づいて各種設定画面等をＬＣＤ２ａに表示する。また、表示制御部２ｂは、図示しない操作キー群又はタッチパネルの押下により生成される操作信号を入力し、入力される操作信号を画像制御ＣＰＵ１ａに出力する。
【００４８】
スキャナ部３は、ＣＣＤ３ａ及びＣＣＤ３ａを駆動制御するスキャナ制御部３ｂを備えて構成される。スキャナ部３は、図示しない原稿台に載置された原稿面を光源により露光走査して原稿面からの反射光を受光し、受光された反射光をＣＣＤ３ａにより光電変換してアナログ画像信号を生成する。スキャナ部３は、生成されたアナログ画像信号を読み取り処理部１ｃに出力する。
【００４９】
プリンタ部４は、ＬＤ（Laser Diode）４ａ及びＬＤ４ａの画像形成動作を制御するプリンタ制御部４ｂを備えて構成される。プリンタ部４は、用紙にトナー像を形成し、形成されたトナー像を定着させる一連の画像形成処理を行う。
【００５０】
プリンタコントローラ５は、コントローラ制御ＣＰＵ５ａ、ＬＡＮＩＦ５ｂ、ＵＳＢ５ｃ、ＤＲＡＭ制御ＩＣ５ｄ、画像メモリ５ｅを備えて構成される。
【００５１】
コントローラ制御ＣＰＵ５ａは、プリンタコントローラ５の各部の動作を統括的に制御する。
ＬＡＮＩＦ５ｂは、ＮＩＣやモデム等のＬＡＮと接続するための通信インターフェイスであり、外部ＰＣから送信された画像データをＬＡＮを介して受信する。また、ＬＡＮＩＦ５ｂは、受信された画像データをＤＲＡＭ制御ＩＣ５ｄに出力する。
【００５２】
ＵＳＢポート５ｃは、ＵＳＢメモリによって記憶されている各種データを入力し、入力された各種データをコントローラ制御ＣＰＵ５ａに出力する。
【００５３】
ＤＲＡＭ制御ＩＣ５ｄは、画像データを画像メモリ５ｅに出力し、画像メモリ５ｅから画像データを入力する。また、ＤＲＡＭ制御ＩＣ５ｄは、制御部１のＤＲＡＭ制御ＩＣ１ｅとＰＣＩバスで接続され、画像データ又は各種データをＤＲＡＭ制御ＩＣ１ｅに出力する。
【００５４】
画像メモリ５ｅは、ＤＲＡＭにより構成され、画像データを一時的に記憶する。
【００５５】
ＲＵ２１は、ＲＵ制御部２１ａ及びカラーセンサ２２等を備えて構成される。
ＲＵ制御部２１ａは、ＣＰＵ、ＲＡＭ、ＲＯＭ等から構成され、ＲＯＭに記憶されている各種プログラムを読み出してＲＡＭに展開し、展開された各種プログラムとの協働により各種処理を実行する。また、ＲＵ制御部２１ａは、プリンタ制御部４ｂを介して制御部１とデータ通信可能に接続される。
【００５６】
カラーセンサ２２は、センサ上を通過する用紙に形成されたγ補正用チャートを読み取り、読み取られた電圧値をＲＵ制御部２１ａに出力する。
【００５７】
図５に、γ補正用チャートのサイズ仕様を示す。
γ補正用チャートのサイズ仕様の設定については、予め不揮発メモリ１ｂに記憶されているものとする。γ補正用チャートは複数のγ補正用パッチにより構成され、γ補正用パッチは複数枚の用紙に渡って形成される。なお、γ補正用パッチのサイズはカラーセンサ２２の性能等によって定まる。一般に、用紙サイズが大きいほどγ補正用チャートに用いられる用紙枚数は少なくて済み、用紙サイズが小さいほど多くの用紙が必要となる。ここでは、大サイズ、中サイズ、小サイズの合計３パターンの用紙サイズに対し、γ補正用チャートに必要な用紙枚数が対応付けられた設定となっている。例えば、副走査方向（用紙搬送方向）の長さが２９７.０ｍｍの用紙（Ａ４用紙）にγ補正用チャートを形成する場合、「中サイズ」であるから、「γ補正用パッチ数」は３２個、「用紙枚数」は４枚である。
【００５８】
図６に、γ補正用チャートの一例を示す。
図６に示すγ補正用チャートは、Ａ４用紙に形成されたγ補正用チャートである。ＹＭＣＫ各色のγ補正用パッチがＡ４−１〜Ａ４−４の合計４枚に渡って形成される。Ａ４用紙１枚につきγ補正用パッチは８個形成され、Ａ４用紙４枚で合計３２個形成される。ＹＭＣＫ各色のγ補正用パッチの総数は、３２個×４色＝１２８個である。γ補正用チャートＡ４−１〜Ａ４−４に形成されるγ補正用パッチの階調値は、同図に示すように、階調２５５を最大としてＡ４−１〜Ａ４−４に満遍なく散らされる。濃度を満遍なく散らすことにより、色の再現性を確保し、チャート依存性の低減又はノイズの低減を図ることができる。
【００５９】
図７に、ＸＹＺ三刺激値変換カーブの登録画面Ｇ１を示す。
登録画面Ｇ１は表示部２により表示される。登録画面Ｇ１では、用紙カテゴリにＸＹＺ三刺激値変換カーブを登録することができる。
「ＸＹＺ三刺激値変換カーブ」とは、カラーセンサ２２により読み取られた電圧値をＸＹＺ三刺激値に変換する電圧濃度変換テーブル又は関数をいう。
【００６０】
「用紙カテゴリ」とは、ＸＹＺ三刺激値変換カーブを含み、不揮発メモリ１ｂに記憶されるファイルデータをいう。本実施形態における不揮発メモリ１ｂは、最大で１０個の用紙カテゴリを記憶することができるメモリ領域を確保している。登録画面Ｇ１では、Ｎｏ．１〜Ｎｏ．１０までの最大１０個の用紙カテゴリが表示される。
【００６１】
図８に、用紙カテゴリの構造を示す。
不揮発メモリ１ｂには、Ｎｏ．１〜Ｎｏ．１０の合計１０個の用紙カテゴリが記憶されており、用紙カテゴリのそれぞれは、（イ）用紙カテゴリ名称、（ロ）登録状態、（ハ）更新日、（二）ＸＹＺ三刺激値変換カーブ（電圧濃度変換テーブル）、（ホ）パッチ測色電圧値、の各データにより構成される。上記（二）ＸＹＺ三刺激値変換カーブについては、上記（ホ）パッチ測色電圧値が用紙カテゴリに登録され、ＸＹＺ三刺激値測色機３１により読み取られたγ補正用チャートのＸＹＺ三刺激値が画像形成装置１０に入力された場合に作成される。
【００６２】
図９に、個別設定変更画面Ｇ２を示す。
個別設定変更画面Ｇ２は、表示部２により表示される。個別設定変更画面Ｇ２では、トレイ用紙プロファイルの設定を行うことができる。
【００６３】
「トレイ用紙プロファイル」とは、給紙部１２が備える各トレイの設定情報である。トレイ用紙プロファイルは、不揮発メモリ１ｂに記憶される。
【００６４】
個別設定変更画面Ｇ２では、「出力紙濃度調整」ボタンが押下状態であり、画面右側には、「デフォルト補正値」、「用紙カテゴリ」、「ＯＦＦ」の３つのボタンが押下可能に表示される。
【００６５】
「デフォルト補正値」ボタンは、用紙種類ごとに予め定められているＸＹＺ三刺激値変換カーブを設定するためのボタンである。
【００６６】
「用紙カテゴリ」ボタンは、ユーザごとに作成され登録されたＸＹＺ三刺激値変換カーブ（図８参照）を使用するためのボタンである。
【００６７】
「ＯＦＦ」ボタンは、用紙種類ごとに定められるＸＹＺ三刺激値変換カーブを使用せず、従来のＩＤＣセンサ１０３（図４１参照）を用いたプリンタγ補正を行うためのボタンである。
【００６８】
図１０に、トレイ用紙プロファイルの構造を示す。
不揮発メモリ１ｂには、トレイ番号１〜９個の合計９個のトレイ用紙プロファイルが記憶される。なお、本実施形態では、給紙部１２が備えるトレイの数が９個であるため、最大９個のトレイ用紙プロファイルが記憶される。
【００６９】
トレイ用紙プロファイルは、（チ）用紙種類、（リ）用紙名称、（ヌ）坪量単位、（ル）坪量、…、（ヲ）プリンタγ補正モード、（ワ）用紙カテゴリデータベースへのリンク、の各データにより構成される。
【００７０】
上記（ヲ）「プリンタγ補正モード」については、「デフォルト補正値」：１、「用紙カテゴリ」：２、「ＯＦＦ」：０、のうち何れかが登録される。
上記（ワ）「用紙カテゴリデータベースへのリンク」については、用紙カテゴリの登録番号Ｎｏ．１〜Ｎｏ．１０（図８参照）のうち何れかの番号が登録される。番号が登録されることにより、トレイ用紙プロファイルは登録された番号の用紙カテゴリとリンクする。
【００７１】
図１１に、用紙条件登録画面Ｇ３を示す。
用紙条件登録画面Ｇ３は、表示部２により表示される。用紙条件登録画面Ｇ３では、用紙プロファイルの設定を行うことができる。
【００７２】
「用紙プロファイル」は、「トレイ用紙プロファイル」と同一の情報である。用紙プロファイルは、不揮発メモリ１ｂに記憶される。
【００７３】
図１２に、用紙プロファイルの構造を示す。
不揮発メモリ１ｂには、Ｎｏ．１〜Ｎｏ．５００までの合計５００個の用紙プロファイルが記憶される。用紙プロファイルは、トレイ用紙プロファイルと同一の内容であるため、ここでの説明は省略する。
【００７４】
図１３に、用紙カテゴリ、トレイ用紙プロファイル及び用紙プロファイルの相互関係を示す。前提として、ＵＳＢメモリ５１がＵＳＢポート５ｃに挿入され、ＵＳＢメモリ５１に記憶されているＸＹＺ三刺激値の情報が制御部１に出力されたものとする。
【００７５】
ＵＳＢメモリ５１に記憶されているＸＹＺ三刺激値が制御部１に出力されると、制御部１は、ＸＹＺ三刺激値変換カーブを作成して不揮発メモリ１ｂに記憶する。ここで、作成されたＸＹＺ三刺激値変換カーブは不揮発メモリ１ｂの「用紙カテゴリ」（図１３では、Ｎｏ．１）に登録される。
【００７６】
用紙カテゴリは、トレイ用紙プロファイル及び用紙プロファイルにリンクすることができる。ここでは、用紙カテゴリのＮｏ．１は、トレイ用紙プロファイルのトレイ番号２にリンクしている。また、用紙カテゴリのＮｏ．１は、用紙プロファイルのＮｏ．３にリンクしている。トレイ２により実際に給紙される場合、トレイ番号２のトレイ用紙プロファイルは、Ｎｏ．１の用紙カテゴリ、又はＮｏ．３の用紙プロファイルをロードする。これにより、給紙された用紙及び画像に対して最適なプリンタγ補正をかけることができる。特に、トレイ用紙プロファイルが用紙プロファイルをロードする場合、トレイ用紙プロファイルは、ＸＹＺ三刺激値変換カーブのみならず他の属性や制御値（用紙種類、用紙名称、坪量単位、…等の用紙特性）をセットでロードすることができる。
【００７７】
すなわち、ユーザは、実際に使用する用紙ごとに最適なプリンタγ補正をかけたい場合、用紙カテゴリ、トレイ用紙プロファイル及び用紙プロファイルのうち、何れかを設定又は確認することで、最適なプリンタγ補正をかけることができる。
【００７８】
図１４を参照して、ＸＹＺ三刺激値変換カーブの登録処理について説明する。
制御部１は、表示部２に起動時画面を表示する（ステップＳ１）。
【００７９】
図１５に、起動時画面Ｇ１１を示す。
画面右側には、用紙トレイがトレイ番号１〜９まで選択可能に表示される。また、画面下側には「調整」ボタンが押下可能に表示される。
【００８０】
制御部１は、起動時画面Ｇ１１において、用紙トレイが選択され、「調整」ボタンが押下された場合に生成される押下信号を入力したか否か判断する（ステップＳ２）。
【００８１】
調整ボタンの押下信号を入力していない場合（ステップＳ２；Ｎ）、制御部１は、起動時画面Ｇ１１を継続して表示する。
調整ボタンの押下信号を入力した場合（ステップＳ２；Ｙ）、制御部１は、調整メニューの設定画面を表示する（ステップＳ３）。
【００８２】
図１６に、調整メニューの設定画面Ｇ１２を示す。
画面右側には、「出力紙濃度調整」ボタンが押下可能に表示される。
【００８３】
制御部１は、調整メニューの設定画面Ｇ１２において、「出力紙濃度調整」ボタンが押下された場合に生成される押下信号を入力したか否か判断する（ステップＳ４）。
【００８４】
出力紙濃度調整ボタンの押下信号を入力していない場合（ステップＳ４；Ｎ）、制御部１は、調整メニューの設定画面Ｇ１２を継続して表示する。
出力紙濃度調整ボタンの押下信号を入力した場合（ステップＳ４；Ｙ）、制御部１は、出力紙濃度調整の設定画面を表示する（ステップＳ５）。
【００８５】
図１７に、出力紙濃度調整の設定画面Ｇ１３を示す。
画面左側には、調整メニューの設定画面Ｇ１２から出力紙濃度調整の設定画面Ｇ１３に移行している様子が表示される。
画面右側には、「用紙カテゴリ登録」ボタンが押下可能に表示される。
【００８６】
制御部１は、出力紙濃度調整の設定画面Ｇ１３において、「用紙カテゴリ登録」ボタンが押下された場合に生成される押下信号を入力したか否か判断する（ステップＳ６）。
【００８７】
用紙カテゴリ登録ボタンの押下信号を入力していない場合（ステップＳ６；Ｎ）、制御部１は、出力紙濃度調整の設定画面Ｇ１３を継続して表示する。
用紙カテゴリ登録ボタンの押下信号を入力した場合（ステップＳ６；Ｙ）、制御部１は、用紙カテゴリのリスト選択画面を表示する（ステップＳ７）。
【００８８】
図１８に、用紙カテゴリのリスト選択画面Ｇ１４を示す。
リスト選択画面Ｇ１４には、用紙カテゴリの名称又は名称が無い場合はブランク領域がＮｏ．１〜Ｎｏ．１０まで合計１０個選択可能に表示される。また、画面下側には、「印刷モード」ボタンが押下可能に表示される。
【００８９】
制御部１は、用紙カテゴリのリスト選択画面Ｇ１４において、Ｎｏ．１〜Ｎｏ．１０までのうち、何れか一の用紙カテゴリが選択され、「印刷モード」ボタンが押下された場合に生成される押下信号を入力したか否か判断する（ステップＳ８）。
【００９０】
印刷モードボタンの押下信号を入力していない場合（ステップＳ８；Ｎ）、制御部１は、用紙カテゴリのリスト選択画面Ｇ１４を継続して表示する。
印刷モードボタンの押下信号を入力した場合（ステップＳ８；Ｙ）、制御部１は、用紙カテゴリの名称入力画面を表示する（ステップＳ９）。
【００９１】
図１９に、用紙カテゴリの名称入力画面Ｇ１５を示す。
用紙カテゴリの名称入力画面Ｇ１５には、キーボードが押下可能に表示される。画面下側には、「ＯＫ」ボタンが押下可能に表示される。
【００９２】
制御部１は、用紙カテゴリの名称入力画面Ｇ１５において、名称が入力され、「ＯＫ」ボタンが押下された場合に生成される押下信号を入力したか否か判断する（ステップＳ１０）。
【００９３】
ＯＫボタンの押下信号を入力していない場合（ステップＳ１０；Ｎ）、制御部１は、用紙カテゴリのリスト選択画面Ｇ１４を表示する。
ＯＫボタンの押下信号を入力した場合（ステップＳ１０；Ｙ）、制御部１は、プリントスタンバイ画面を表示する（ステップＳ１１）。
【００９４】
図２０に、プリントスタンバイ画面Ｇ１６を示す。
画面右下側には、トレイ１〜トレイ９までの合計９個のトレイが選択可能に表示される。ここで選択されるトレイのトレイ用紙プロファイルに、後にＸＹＺ三刺激値変換カーブが登録される。
【００９５】
制御部１は、プリントスタンバイ画面Ｇ１６において、トレイ１〜トレイ９までのうち、何れかのトレイが選択され、プリント開始ボタン（図示省略）が押下された場合に生成される押下信号を入力したか否か判断する（ステップＳ１２）。
【００９６】
プリント開始ボタンの押下信号を入力していない場合（ステップＳ１２；Ｎ）、制御部１は、プリントスタンバイ画面Ｇ１６を継続して表示する。
プリント開始ボタンの押下信号を入力した場合（ステップＳ１２；Ｙ）、制御部１は、γ補正用チャートを画像形成するとともに、プリント中画面を表示する（ステップＳ１３）。
【００９７】
図２１に、プリント中画面Ｇ１７を示す。
プリント中画面Ｇ１７には、「コピーしています」等のメッセージが表示される。
γ補正用チャートの画像形成が終了した際には、プリント中画面Ｇ１７はプリントスタンバイ画面Ｇ１６に遷移する。
【００９８】
制御部１は、プリント中画面Ｇ１７をプリントスタンバイ画面Ｇ１６に遷移させ、カラーセンサ２２により測色されたγ補正用チャートの測色値（電圧値）を用紙カテゴリに登録する（ステップＳ１４）。
【００９９】
制御部１は、プリントスタンバイ画面Ｇ１６において、「印刷モード終了」ボタンが押下された場合に生成される押下信号を入力したか否か判断する（ステップＳ１５）。
【０１００】
印刷モード終了ボタンの押下信号を入力しない場合（ステップＳ１５；Ｎ）、制御部１は、プリントスタンバイ画面Ｇ１６を継続して表示する。
印刷モード終了ボタンの押下信号を入力した場合（ステップＳ１５；Ｙ）、制御部１は、用紙カテゴリのリスト選択画面を表示する（ステップＳ１６）。
【０１０１】
図２２に、用紙カテゴリのリスト選択画面Ｇ１８を示す。
リスト選択画面Ｇ１８は、リスト選択画面Ｇ１４と表示内容及び構成は同一である。ここでは、カラーセンサ２２により読み取られたγ補正用チャートの電圧値が用紙カテゴリに登録されたため、用紙カテゴリリストの一に名称が表示されている。また、合わせて、「測色データ読み込み待ち状態です」等のメッセージが表示される。
画面下側には、「測色データ読み込み」ボタンが押下可能に表示される。
【０１０２】
制御部１は、リスト選択画面Ｇ１８において、「測色データ読み込み」ボタンが押下された場合に生成される押下信号を入力したか否か判断する（ステップＳ１７）。
【０１０３】
測色データ読み込みボタンの押下信号を入力していない場合（ステップＳ１７；Ｎ）、制御部１は、リスト選択画面Ｇ１８を継続して表示する。
測色データ読み込みボタンの押下信号を入力した場合（ステップＳ１７；Ｙ）、制御部１は、ＵＳＢメモリ５１の接続要求画面を表示する（ステップＰＳ１８）。
【０１０４】
図２３に、接続要求画面Ｇ１９を示す。
接続要求画面Ｇ１９には、「ＵＳＢメモリを接続してＯＫを選択して下さい」等のメッセージが表示される。また、「ＯＫ」ボタンが押下可能に表示される。
【０１０５】
制御部１は、接続要求画面Ｇ１９において、「ＯＫ」ボタンが押下された場合に生成される押下信号を入力すると、ＵＳＢメモリ５１を認識できたか否か判断する（ステップＳ１９）。
【０１０６】
認識できない場合（ステップＳ１９；Ｎ）、制御部１は、接続要求画面Ｇ１９と同様の構成画面にて「ＵＳＢメモリを認識できませんでした」等のメッセージを表示する。
認識できた場合（ステップＳ１９；Ｙ）、制御部１は、測色結果のファイル選択画面を表示する（ステップＳ２０）。
【０１０７】
図２４に、測色結果のファイル選択画面Ｇ２０を示す。
ファイル選択画面Ｇ２０には、ＵＳＢメモリ５１に記憶されている測色結果のファイル（ＸＹＺ三刺激値）が選択可能に表示される。画面下側には、「ＯＫ」ボタンが押下可能に表示される。
【０１０８】
制御部１は、ファイル選択画面Ｇ２０において、ファイルが選択され、「ＯＫ」ボタンが押下された場合に生成される押下信号を入力したか否か判断する（ステップＳ２１）。
【０１０９】
ＯＫボタンの押下信号を入力していない場合（ステップＳ２１；Ｎ）、制御部１は、ファイル選択画面Ｇ２０を継続して表示する。
ＯＫボタンの押下信号を入力した場合（ステップＳ２１；Ｙ）、制御部１は、選択されたファイルの情報、用紙カテゴリに登録済みの電圧値の情報及び予め定められたアルゴリズムに基づいて、ＸＹＺ三刺激値変換カーブ（電圧濃度変換テーブル）を作成する（ステップＳ２２）。
【０１１０】
制御部１は、作成されたＸＹＺ三刺激値変換カーブを用紙カテゴリに登録して（ステップＳ２３）、ＸＹＺ三刺激値変換カーブの登録処理を終了する。
【０１１１】
図２５に、ＸＹＺ三刺激値変換カーブが登録された後の用紙カテゴリのリスト選択画面Ｇ２１を示す。
リスト選択画面Ｇ２１は、リスト選択画面Ｇ１８と同一の構成及び内容である。ここでは、ＸＹＺ三刺激値変換カーブが用紙カテゴリに登録されたため、用紙カテゴリのリストの一に「測色データ読み込み待ち状態です」等のメッセージが削除され、用紙カテゴリの名称のみが表示される。
【０１１２】
図２６に、ＸＹＺ三刺激値変換カーブの登録が出来なかった場合の画面Ｇ２２を示す。
画面Ｇ２２は、ファイル選択画面Ｇ２０において、適切なファイルが選択されずに「ＯＫ」ボタンが押下された場合に表示される画面である。画面Ｇ２２には、選択されたファイルを再確認する旨のメッセージが表示される。
【０１１３】
図２７を参照して、リンク解除処理について説明する。
なお、図１３で説明したように、トレイ用紙プロファイル又は用紙プロファイルは、用紙カテゴリとリンクしている。用紙カテゴリのＮｏ．１〜Ｎｏ．１０のうち、何れかの用紙カテゴリが削除又は上書き登録される場合、削除又は上書き登録時にリンクされているトレイ用紙プロファイル又は用紙プロファイルのリンク設定を削除する必要がある。
【０１１４】
制御部１は、トレイ用紙プロファイルが削除又は上書き登録の対象となっている用紙カテゴリとリンクされているか否か判断する（ステップＳ３１）。
【０１１５】
リンクされている場合（ステップＳ３１；Ｙ）、制御部１は、トレイ用紙プロファイルから用紙カテゴリへのリンク設定を削除する（ステップＳ３２）。
リンクされていない場合（ステップＳ３１；Ｎ）、制御部１は、ステップＳ３３に移行する。
【０１１６】
制御部１は、既に登録済みのトレイ用紙プロファイルが他に存在するか否か判断する（ステップＳ３３）。
既に登録済みのトレイ用紙プロファイルが他に存在する場合（ステップＳ３３；Ｙ）、制御部１は、他の登録済みのトレイ用紙プロファイルを読み込み（ステップＳ３４）、ステップＳ３１に移行する。
既に登録済みのトレイ用紙プロファイルが他に存在しない場合（ステップＳ３３；Ｎ）、制御部１は、ステップＳ３５に移行する。
【０１１７】
制御部１は、用紙プロファイルが削除又は上書き登録の対象となっている用紙カテゴリとリンクされているか否か判断する（ステップＳ３５）。
【０１１８】
リンクされている場合（ステップＳ３５；Ｙ）、制御部１は、用紙プロファイルから用紙カテゴリへのリンク設定を削除する（ステップＳ３６）。
リンクされていない場合（ステップＳ３５；Ｎ）、制御部１は、ステップＳ３７に移行する。
【０１１９】
制御部１は、既に登録済みの用紙プロファイルが他に存在するか否か判断する（ステップＳ３７）。
既に登録済みの用紙プロファイルが他に存在する場合（ステップＳ３７；Ｙ）、制御部１は、他の登録済みの用紙プロファイルを読み込み（ステップＳ３８）、ステップＳ３５に移行する。
既に登録済みの用紙プロファイルが他に存在しない場合（ステップＳ３７；Ｎ）、制御部１は、リンク解除処理を終了する。
【０１２０】
図２８を参照して、用紙プロファイルのリンク設定処理について説明する。
リンク設定処理により、用紙プロファイルに用紙カテゴリをリンクさせることができる。
まず、制御部１は、表示部２に起動時画面を表示する（ステップＳ４１）。
【０１２１】
図２９に、起動時画面Ｇ３１を示す。
起動時画面Ｇ３１は、起動時画面Ｇ１１（図１５参照）と同一の構成及び内容である。起動時画面Ｇ３１には、画面左下側に「用紙設定」ボタンが押下可能に表示される。
【０１２２】
制御部１は、起動時画面Ｇ３１において、用紙設定ボタンが押下された場合に生成される押下信号を入力したか否か判断する（ステップＳ４２）。
【０１２３】
用紙設定ボタンの押下信号を入力していない場合（ステップＳ４２；Ｎ）、制御部１は、起動時画面Ｇ３１を継続して表示する。
用紙設定ボタンの押下信号を入力した場合（ステップＳ４２；Ｙ）、制御部１は、用紙設定画面を表示する（ステップＳ４３）。
【０１２４】
図３０に、用紙設定画面Ｇ３２を示す。
画面左側には、トレイ１〜トレイ９までの合計９個の「トレイ」ボタンが選択可能に表示される。また、画面右下側には、「設定変更」ボタンが押下可能に表示される。
【０１２５】
制御部１は、用紙設定画面Ｇ３２において、トレイ１〜トレイ９までのうち何れかのトレイが選択され、「設定変更」ボタンが押下された場合に生成される押下信号を入力したか否か判断する（ステップＳ４４）。
【０１２６】
設定変更ボタンの押下信号を入力していない場合（ステップＳ４４；Ｎ）、制御部１は、用紙設定画面Ｇ３２を継続して表示する。
設定変更ボタンの押下信号を入力した場合（ステップＳ４４；Ｙ）、制御部１は、個別設定変更画面を表示する（ステップＳ４５）。
【０１２７】
図３１に、個別設定変更画面Ｇ３３を示す。
個別設定変更画面Ｇ３３は、個別設定変更画面Ｇ２（図９参照）と同一の構成及び内容である。画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
【０１２８】
制御部１は、個別設定変更画面Ｇ３３において、「用紙カテゴリ」ボタンが押下された場合に生成される押下信号を入力したか否か判断する（ステップＳ４６）。
【０１２９】
用紙カテゴリボタンの押下信号を入力していない場合（ステップＳ４６；Ｎ）、制御部１は、個別設定変更画面Ｇ３３を継続して表示する。
用紙カテゴリボタンの押下信号を入力した場合（ステップＳ４６；Ｙ）、制御部１は、用紙カテゴリ選択画面を表示する（ステップＳ４７）。
【０１３０】
図３２に、用紙カテゴリ選択画面Ｇ３４を示す。
用紙カテゴリ選択画面Ｇ３４は、リスト選択画面Ｇ２１（図２５参照）と同一の構成及び内容である。画面中央には、用紙カテゴリが選択可能に表示される。また、画面下側には、「ＯＫ」ボタンが押下可能に表示される。
【０１３１】
制御部１は、用紙カテゴリ選択画面Ｇ３４において、用紙カテゴリが選択され、「ＯＫ」ボタンが押下された場合に生成される押下信号を入力したか否か判断する（ステップＳ４８）。
【０１３２】
ＯＫボタンの押下信号を入力していない場合（ステップＳ４８；Ｎ）、制御部１は、用紙カテゴリ選択画面Ｇ３４を継続して表示する。
ＯＫボタンの押下信号を入力した場合（ステップＳ４８；Ｙ）、制御部１は、個別設定変更画面Ｇ３３を再度表示する（ステップＳ４９）。
【０１３３】
図３３に、再度表示された個別設定変更画面Ｇ３５を示す。
再度表示された個別設定変更画面Ｇ３５は、個別設定変更画面Ｇ３３（図３１参照）と同一の構成及び内容である。個別設定変更画面Ｇ３５では、「出力紙濃度調整」ボタン及び「用紙カテゴリ」ボタンが押下状態で表示される。また、画面下側には「ＯＫ」ボタンが押下可能に表示される。
【０１３４】
制御部１は、個別設定変更画面Ｇ３５において、「ＯＫ」ボタンが押下された場合に生成される押下信号を入力したか否か判断する（ステップＳ５０）。
【０１３５】
ＯＫボタンの押下信号を入力していない場合（ステップＳ５０；Ｎ）、制御部１は、個別設定変更画面Ｇ３５を継続して表示する。
ＯＫボタンの押下信号を入力した場合（ステップＳ５０；Ｙ）、制御部１は、用紙カテゴリ選択画面Ｇ３４において選択された用紙カテゴリとリンクするように、用紙プロファイルにリンク設定を登録し（ステップＳ５１）、用紙プロファイルのリンク設定処理を終了する。
【０１３６】
図３４を参照して、用紙プロファイルの登録処理について説明する。
用紙プロファイルの登録処理により、最大５００個までの用紙プロファイルを予め登録しておくことができる。
まず、制御部１は、表示部２に設定メニュー画面を表示する（ステップＳ６１）。
【０１３７】
図３５に、設定メニュー画面Ｇ４１を示す。
画面右側には、「ユーザ設定」ボタンが押下可能に表示される。
【０１３８】
制御部１は、設定メニュー画面Ｇ４１において、「ユーザ設定」ボタンが押下された場合に生成される押下信号を入力し、続けて「環境設定」ボタン、「給紙トレイ設定」ボタンの順に押下信号を入力したか否か判断する（ステップＳ６２）。
【０１３９】
最後の給紙トレイ設定ボタンの押下信号を入力していない場合（ステップＳ６２；Ｎ）、制御部１は、設定メニュー画面Ｇ４１を継続して表示する。
最後の給紙トレイ設定ボタンの押下信号を入力した場合（ステップＳ６２；Ｙ）、制御部１は、給紙トレイ設定画面を表示する（ステップＳ６３）。
【０１４０】
図３６に、給紙トレイ設定画面Ｇ４２を示す。
画面右側には、設定メニューから始まり、ユーザ設定及び環境設定を経て、給紙トレイ設定に遷移してきた状態が表示される。また、画面左側には、「用紙設定」ボタンが押下可能に表示される。
【０１４１】
制御部１は、給紙トレイ設定画面Ｇ４２において、「用紙設定」ボタンが押下された場合に生成される押下信号を入力したか否か判断する（ステップＳ６４）。
【０１４２】
用紙設定ボタンの押下信号を入力していない場合（ステップＳ６４；Ｎ）、制御部１は、給紙トレイ設定画面Ｇ４２を継続して表示する。
用紙設定ボタンの押下信号を入力した場合（ステップＳ６４；Ｙ）、制御部１は、用紙プロファイル登録画面を表示する（ステップＳ６５）。
【０１４３】
図３７に、用紙プロファイル登録画面Ｇ４３を示す。
画面中央には、Ｎｏ．１〜Ｎｏ．５００まで合計５００個の用紙プロファイルが選択可能に表示される。また、画面下側には、「追加／編集」ボタンが押下可能に表示される。
【０１４４】
制御部１は、用紙プロファイル登録画面Ｇ４３において、用紙プロファイルが選択され、「追加／編集」ボタンが押下された場合に生成される押下信号を入力したか否か判断する（ステップＳ６６）。
【０１４５】
追加／編集ボタンの押下信号を入力していない場合（ステップＳ６６；Ｎ）、制御部１は、用紙プロファイル登録画面Ｇ４３を継続して表示する。
追加／編集ボタンの押下信号を入力した場合（ステップＳ６６；Ｙ）、制御部１は、用紙条件登録画面を表示する（ステップＳ６７）。
【０１４６】
図３８に、用紙条件登録画面Ｇ４４を示す。
用紙条件登録画面Ｇ４４は、個別設定変更画面Ｇ２（図９参照）と同一の構成及び内容である。画面左側には、「出力紙濃度調整」ボタンが押下可能に表示される。また、「出力紙濃度調整」ボタンが押下状態の場合、画面左側に「デフォルト補正値」ボタン、「用紙カテゴリ」ボタン及び「ＯＦＦ」ボタンが押下可能に表示される。
【０１４７】
制御部１は、用紙条件登録画面Ｇ４４において、「出力紙濃度調整」及び「用紙カテゴリ」が選択され、「ＯＫ」ボタンが押下された場合に生成される押下信号を入力したか否か判断する（ステップＳ６８）。
【０１４８】
ＯＫボタンの押下信号を入力していない場合（ステップＳ６８；Ｎ）、制御部１は、用紙条件登録画面Ｇ４４を継続して表示する。
ＯＫボタンの押下信号を入力した場合（ステップＳ６８；Ｙ）、制御部１は、用紙カテゴリ選択画面を再度表示する（ステップＳ６９）。
【０１４９】
図３９に、用紙カテゴリ選択画面Ｇ４５を示す。
用紙カテゴリ選択画面Ｇ４５は、用紙カテゴリ選択画面Ｇ３４（図３２参照）と同一の構成及び内容である。画面中央には、用紙カテゴリが選択可能に表示される。ここで表示されている用紙カテゴリは、ユーザが予め登録しておいた用紙カテゴリである。また、画面下側には、「ＯＫ」ボタンが押下可能に表示される。
【０１５０】
制御部１は、用紙カテゴリ選択画面Ｇ４５において、用紙カテゴリが選択され、「ＯＫ」ボタンが押下された場合に生成される押下信号を入力したか否か判断する（ステップＳ７０）。
【０１５１】
ＯＫボタンの押下信号を入力していない場合（ステップＳ７０；Ｎ）、制御部１は、用紙カテゴリ選択画面Ｇ４５を継続して表示する。
ＯＫボタンの押下信号を入力した場合（ステップＳ７０；Ｙ）、制御部１は、用紙条件登録画面Ｇ４４を再度表示する（ステップＳ７１）。
【０１５２】
図４０に、再度表示された用紙条件登録画面Ｇ４６を示す。
再度表示された用紙条件登録画面Ｇ４６は、用紙条件登録画面Ｇ４４（図３８参照）と同一の構成及び内容である。用紙条件登録画面Ｇ４６では、「出力紙濃度調整」ボタン及び「用紙カテゴリ」ボタンが押下状態で表示される。また、画面下側には「ＯＫ」ボタンが押下可能に表示される。
【０１５３】
制御部１は、用紙条件登録画面Ｇ４６において、「ＯＫ」ボタンが押下された場合に生成される押下信号を入力したか否か判断する（ステップＳ７２）。
【０１５４】
ＯＫボタンの押下信号を入力していない場合（ステップＳ７２；Ｎ）、制御部１は、用紙条件登録画面Ｇ４６を継続して表示する。
ＯＫボタンの押下信号を入力した場合（ステップＳ７２；Ｙ）、制御部１は、用紙プロファイルを登録して（ステップＳ７３）、用紙プロファイルの登録処理を終了する。
【０１５５】
以上のように、本実施形態によれば、ユーザが実際に使用する用紙の種類ごとに色空間座標値変換情報（ＸＹＺ三刺激値変換カーブ）を記憶媒体（不揮発メモリ１ｂ）に予め記憶しておくことができる。なお、色空間座標値変換情報（ＸＹＺ三刺激値変換カーブ）は、カラーセンサ２２により入力された電圧値の情報及び色空間座標値測色機（ＸＹＺ三刺激値測色機３１）により測色された色空間座標値（ＸＹＺ三刺激値）の情報に基づいて生成される。よって、ユーザは簡易な操作で実際に使用する用紙に対して最適なプリンタγ補正をかけることができる。
【０１５６】
また、ＸＹＺ三刺激値変換カーブは用紙カテゴリに登録しておき、用紙カテゴリとトレイ用紙プロファイル又は用紙プロファイルとを関連付けることができる。
【０１５７】
また、トレイ用紙プロファイルと用紙プロファイルとを関連付けることができる。
【０１５８】
また、ＸＹＺ三刺激値変換カーブが登録されている用紙カテゴリが削除又は変更された場合、削除又は変更された用紙カテゴリとトレイ用紙プロファイル又は用紙プロファイルとの関連付けを解除することができる。
【０１５９】
また、ＸＹＺ三刺激値変換カーブが登録されている用紙カテゴリが変更された場合、かつ、変更の前後でＸＹＺ三刺激値変換カーブの生成に用いた用紙種類が異なる場合、変更された用紙カテゴリとトレイ用紙プロファイル又は用紙プロファイルとの関連付けを解除することができる。
【０１６０】
また、トレイ用紙プロファイル又は用紙プロファイルの用紙種類が変更された場合、変更されたトレイ用紙プロファイル又は用紙プロファイルと用紙カテゴリとの関連付けを解除することができる。
【符号の説明】
【０１６１】
１０        画像形成装置
１１        画像形成部
１２        給紙部
１３〜１６  感光体ドラム
１７        中間転写ベルト
１８        転写ローラ
１９        定着装置
２１        リレーユニット
２２        カラーセンサ
１          制御部
２          表示部
３          スキャナ部
４          プリンタ部
５          プリンタコントローラ
【図１】
0005544830.tif 000002
【図２】
0005544830.tif 000003
【図３】
0005544830.tif 000004
【図４】
0005544830.tif 000005
【図５】
0005544830.tif 000006
【図６】
0005544830.tif 000007
【図７】
0005544830.tif 000008
【図８】
0005544830.tif 000009
【図９】
0005544830.tif 000010
【図１０】
0005544830.tif 000011
【図１１】
0005544830.tif 000012
【図１２】
0005544830.tif 000013
【図１３】
0005544830.tif 000014
【図１４】
0005544830.tif 000015
【図１５】
0005544830.tif 000016
【図１６】
0005544830.tif 000017
【図１７】
0005544830.tif 000018
【図１８】
0005544830.tif 000019
【図１９】
0005544830.tif 000020
【図２０】
0005544830.tif 000021
【図２１】
0005544830.tif 000022
【図２２】
0005544830.tif 000023
【図２３】
0005544830.tif 000024
【図２４】
0005544830.tif 000025
【図２５】
0005544830.tif 000026
【図２６】
0005544830.tif 000027
【図２７】
0005544830.tif 000028
【図２８】
0005544830.tif 000029
【図２９】
0005544830.tif 000030
【図３０】
0005544830.tif 000031
【図３１】
0005544830.tif 000032
【図３２】
0005544830.tif 000033
【図３３】
0005544830.tif 000034
【図３４】
0005544830.tif 000035
【図３５】
0005544830.tif 000036
【図３６】
0005544830.tif 000037
【図３７】
0005544830.tif 000038
【図３８】
0005544830.tif 000039
【図３９】
0005544830.tif 000040
【図４０】
0005544830.tif 000041
【図４１】
0005544830.tif 000042